(57)【要約】【課題】未熟な作業者であっても、収容物が整然と見栄え良く盛り付けられた商品価値の高い商品を製造することができ、購入者が商品を持ち帰る際においても見栄え良い盛り付けが崩れにくい包装用容器を提供すること。【解決手段】樹脂シートを熱成形してなる包装用容器であって、該容器底部の上面に形成された突条から構成された、前記上面を等間隔に分ける手段が複数設けられ、前記複数の手段は、前記上面を分ける間隔が異なる少なくとも２種類の手段からなり、かつ、前記複数の手段は、各々異なる形態を有している。【選択図】図１
2011246175.tif 000002
【特許請求の範囲】
【請求項１】
樹脂シートを熱成形してなる包装用容器であって、
該容器底部の上面に形成された突条から構成された、前記上面を等間隔に分ける手段が複数設けられ、
前記複数の手段は、前記上面を分ける間隔が異なる少なくとも２種類の手段からなり、
かつ、前記複数の手段は、各々異なる形態を有していることを特徴とする包装用容器。
【請求項２】
前記手段として、前記上面を２等分する手段と、前記上面を３等分する手段とが設けられたことを特徴とする請求項１に記載の包装用容器。
【請求項３】
前記上面を２等分する手段を構成する突条に対し、前記上面を３等分する手段を構成する突条が角度を変えて形成されたことを特徴とする請求項２に記載の包装用容器。
【請求項４】
前記手段として、前記上面を２等分する手段、前記上面を３等分する手段、前記上面を４等分する手段がそれぞれ設けられたことを特徴とする請求項１に記載の包装用容器。
【請求項５】
前記上面を２等分する手段を構成する突条に対し、前記上面を３等分する手段を構成する突条と前記上面を４等分する手段を構成する突条とが角度を変えて形成されたことを特徴とする請求項４に記載の包装用容器。
【発明の詳細な説明】
【技術分野】
【０００１】
本発明は、樹脂シートを熱成形してなる包装用容器に関する。
【背景技術】
【０００２】
従来より、発泡シートを熱成形した断熱性に優れた包装用容器に、例えばしゃぶしゃぶ用生肉や一口サイズにカットされた生肉等を整然と盛り付けしたものが食品スーパーや百貨店等で販売されている。
【０００３】
具体的にこの盛り付けは、作業者が薄切りされた生肉を折り、その折った状態の生肉の端辺を横一直線に整然と並べて行う。
【先行技術文献】
【特許文献】
【０００４】
【特許文献１】特開２００５−１１９７３５号公報
【発明の概要】
【発明が解決しようとする課題】
【０００５】
しかしながら、このような盛り付けを整然と見栄え良くすることは難しく、これまでは熟練した作業者でないと効率の良い盛り付け作業ができなかった。
【０００６】
そこで、未熟な作業者であっても、熟練した作業者同様に整然と見栄え良く盛り付けができ、その際の作業効率も高い包装用容器の開発が求められていた。
【０００７】
一方、このように盛り付けられた生肉等が、食品スーパーや百貨店等から購入者が持ち帰る途中、容器が傾くこと等によって容器内で偏ってしまうことが起こりにくい包装用容器も求められていた。
【０００８】
ここで、特許文献１には、容器の底面に複数の突起を設けて、その突起に食品が係止されることにより、容器に対する食品の位置ずれや型崩れを抑制できるとの記載がある。しかしながら、この特許文献１に係る包装用容器は、前記の、未熟な作業者であっても、熟練した作業者同様に整然と見栄え良く盛り付けができるという要求を満たすものとはなっていない。
【０００９】
そこで本発明は、未熟な作業者であっても、収容物が整然と見栄え良く盛り付けられた商品価値の高い商品を、高い製造効率で製造することができ、購入者が商品を持ち帰る際においても見栄え良い盛り付けが崩れにくい包装用容器を提供することを課題とする。
【課題を解決するための手段】
【００１０】
前記の課題を解決するために、本発明は、樹脂シートを熱成形してなる包装用容器であって、該容器底部の上面に形成された突条から構成された、前記上面を等間隔に分ける手段が複数設けられ、前記複数の手段は、前記上面を分ける間隔が異なる少なくとも２種類の手段からなり、かつ、前記複数の手段は、各々異なる形態を有していることを特徴とする包装用容器を提供する。
【００１１】
前記構成の包装用容器によれば、容器底部の上面に形成された突条から構成され、前記上面を等間隔に分ける手段が複数設けられたことにより、前記手段を構成する突条を目安に収容物を整然と並べることができ、かつ、前記目安として用いなかった突条に収容物が当接することで、容器底部の上面を収容物が滑ることを防止できる。そして、前記複数の手段が、各々異なる形態を有していることにより、収容物を並べる際の目安とすべき突条を作業者が容易に見分けることができる。
【００１２】
そして本発明の包装用容器は、前記手段として、前記上面を２等分する手段と、前記上面を３等分する手段とが設けられたものであることが好ましい。
【００１３】
前記構成の包装用容器によれば、前記上面を２等分する手段と３等分する手段のうち一方を構成する突条を、収容物を並べるための目安として用い、他方を構成する突条を、収容物の滑り止めとして用いることができる。
【００１４】
そして本発明の包装用容器は、前記上面を２等分する手段を構成する突条に対し、前記上面を３等分する手段を構成する突条が角度を変えて形成されたものであることが好ましい。
【００１５】
前記構成の包装用容器によれば、角度を変えた突条を任意に選択して用いることで、収容物の配置にバリエーションをもたせることができる。
【００１６】
そして本発明の包装用容器は、前記手段として、前記上面を２等分する手段、前記上面を３等分する手段、前記上面を４等分する手段がそれぞれ設けられたものであることが好ましい。
【００１７】
前記構成の包装用容器によれば、前記上面を２等分する手段、３等分する手段、４等分する手段のうちいずれかを構成する突条を、収容物を並べるための目安として用い、前記目安に用いなかった突条を、収容物の滑り止めとして用いることができる。
【００１８】
そして本発明の包装用容器は、前記上面を２等分する手段を構成する突条に対し、前記上面を３等分する手段を構成する突条と前記上面を４等分する手段を構成する突条とが角度を変えて形成されたものであることが好ましい。
【００１９】
前記構成の包装用容器によれば、角度を変えた突条を任意に選択して用いることで、収容物の配置にバリエーションをもたせることができる。
【発明の効果】
【００２０】
本発明の包装用容器は、突条が収容物を並べる目安となることから、未熟な作業者であっても、収容物が整然と見栄え良く盛り付けられた商品価値の高い商品を製造することができ、その際の作業効率も高い。そして、突条が収容物の滑り止めとなることから、購入者が商品を持ち帰る際においても見栄え良い盛り付けが崩れにくく、その点でも商品価値の高い商品とできる。
【図面の簡単な説明】
【００２１】
【図１】（Ａ）は本発明の一実施形態に係る包装用容器を示す概略平面図、（Ｂ）は（Ａ）のＸ−Ｘ矢視における概略端面図である。
【図２】（Ａ）〜（Ｆ）共、本発明の他の実施形態を示す概略平面図である。
【図３】（Ａ）（Ｂ）共、本発明の一実施形態に係る包装用容器に収容物を配置した例を示す写真である。
【発明を実施するための形態】
【００２２】
次に、本発明につき、一実施形態を取り上げて説明を行う。本実施形態の包装用容器の基本的構成は、従来から存在する包装用容器と同様であって、図１（Ａ）（Ｂ）に示すように、容器底部１と、該容器底部１の外周から起立した周壁部２を備えている。周壁部２の上端部は外側に張り出しておりフランジ部３とされている。
【００２３】
容器底部１は、例えばしゃぶしゃぶ用生肉等の収容物が配置される部分であり、周壁部２は、収容物がこぼれ落ちないために設けられる部分である。フランジ部３は、収容物を保護するための、包装用容器に対して着脱自在とされた蓋体（図示しない）が取り付けられたり、ラップフィルム（図示しない）が掛け渡されたりする部分である。なお場合によっては、周壁部２と蓋体を一体に形成したものであっても良い。
【００２４】
また、フランジ部３の外周縁には、図示はしていないが、成形による細かな凹凸加工やエンボス加工を施すことにより、側面視にて波形（正弦波、三角波、台形波等）の外縁線、即ち、直線ではない外縁線を備えるようにすることが望ましい。これにより、外周縁のエッジが鋭利でなくなるため、例えば、包装用容器に触れる際や蓋体を開閉する際の指先を保護することができ、また、ラップフィルムをフランジ部３に掛け渡す際にラップフィルムが裂断するのを防止することができる。さらに、外周縁の強度が増し、包装用容器が裂断するのを防止する効果もある。
【００２５】
本実施形態の包装用容器の平面視形状は、図１（Ａ）に示すように略正方形の角部が面取りされた略八角形状とされているが、本発明の包装用容器の形状はこれに限定されるものではなく、長方形等の他の多角形、円形、長円形、楕円形、その他種々の形状としても良い。また、本実施形態の包装用容器では、容器底部１の上面１１の平面視形状も外周形状と同じく略八角形状とされているが、上面１１の形状と外周形状とが異なっていても良い。
【００２６】
本実施形態の包装用容器には、樹脂シートを金型等によって熱成形したものを使用でき、特に、発泡シートを熱成形したものを使用することが望ましい。この発泡シートを熱成形したものを使用する場合は、発泡シートの片面もしくは両面に樹脂フィルムが積層された、発泡層と表面フィルム層とを有する積層樹脂シートを使用することもできる。
【００２７】
前記樹脂シートの素材としては、本発明では特に限定されず、従来から公知の種々の素材を使用することができる。例えば、スチレン樹脂単独、あるいは、スチレンモノマーと共重合可能なブタジエン、無水マレイン酸、メタクリル酸等のモノマーとスチレンモノマーとの共重合体樹脂単独、または、スチレン樹脂と前記共重合体樹脂やポリフェニレンエーテル系樹脂等の耐熱性樹脂等との混合物、ポリプロピレン樹脂、ポリエチレンテレフタレート樹脂がある。
【００２８】
前記発泡シートとしては、例えば、前記で示した樹脂に、ブタンやペンタン等の物理的発泡剤や、アゾジカルボンアミド等の化学的発泡剤や、二酸化炭素、窒素、空気等の発泡剤とともに押出機で混練して押出し発泡させてなる発泡シートがある。
【００２９】
前記発泡シートに積層される樹脂フィルムとしては、例えば、ポリスチレン樹脂、ハイインパクトポリスチレン樹脂、耐熱ポリスチレン樹脂等のスチレン系樹脂が用いられてなるフィルムや、ポリエチレン樹脂、ポリプロピレン樹脂等のポリオレフィン樹脂が用いられてなるフィルム、ポリエチレンテレフタレート樹脂等のポリエステル樹脂が用いられてなるフィルム、ポリビニルアルコール樹脂、ポリ塩化ビニリデン樹脂等のガスバリヤ性に優れた樹脂が用いられてなるフィルムをそれぞれ単独で用いることができる。あるいは、これらのフィルム同士を複数積層させたフィルム（積層フィルム）として用いることができる。
【００３０】
なかでも、発泡シートに用いられたスチレン樹脂や共重合体樹脂が用いられてなるフィルムを用いる場合には、発泡シートと該発泡シートに積層される樹脂フィルムの全体が同じ材質で構成されることとなり、包装用容器のリサイクル性を向上させ得る点において好適である。
【００３１】
包装用容器を、食品等を収容させるために用いる場合には、通常、前記発泡シートによって１〜５ｍｍのいずれかの厚みに前記発泡層が形成され、前記樹脂フィルムによって３〜５００μｍのいずれかの厚みに前記表面フィルム層が形成された樹脂シートを用いることが望ましい。
【００３２】
なお、本実施形態に係る包装用容器の形成に用いる、発泡層を備えている樹脂シートは、前記に例示した樹脂シートに限定されるものではなく、種々のものを採用することができ、表面フィルム層を有していない発泡層のみによって構成されたものや、発泡層を介して両面に表面フィルム層が形成されているもの等も採用が可能である。
【００３３】
前記のように樹脂シートを熱成形してなる包装用容器における、容器底部１の上面１１に複数の突条４が形成されている。この突条４は、容器底部１と一体に形成されたものである。本実施形態における突条４の断面形状は、図１（Ｂ）に示すように、略半円形状とされており、上面１１からの突出高さは１ｍｍとされている。突条４の断面形状及び突出高さについては、本実施形態のものに限られるものではなく、包装用容器の大きさや収容物の性状（軟らかさ等）に最も適合するように、種々の断面形状及び突出高さを採用し得る。
【００３４】
ただし、突条４の突出高さは、収容物の滑りを防ぐことができる高さである。そして、容器底部から突出して形成される仕切りとは異なり、収容物が盛り付けられた後は、基本的に、収容物に隠れてしまい見えなくなる。この突条４の突出高さとしては具体的に、包装用容器の周壁部２の高さの１／３〜１／６０程度とすることが好ましい。
【００３５】
この突条４は、上面１１を等間隔に分ける位置に形成されている。前記「等間隔」とは、具体的には、容器底部１の端部１２と隣り合う突条４の距離、及び、隣り合う突条４，４同士の距離（下記の、上面１１を等間隔に分ける手段を構成する突条４が複数形成されている場合）が等しい間隔であることを指す。更に詳しく述べると、突条４の延びる方向に対して直交する方向を想定した場合、該方向における容器底部１の対向する辺同士の距離を等しく分けた際の分けられた間隔を指す。なお、前記の「直交する方向」とは、突条４が直線状である場合は、上面１１上にて突条４に直交する関係となる直線方向であり、突条４が湾曲している場合は、突条４上のある点における、突条４の接線方向に直交する関係となる直線方向である。
【００３６】
前記の突条４は、１本あるいは複数が集合して、上面１１を等間隔に分ける手段を構成している。この手段は一つの包装用容器に複数が設けられており、この複数の手段が、上面１１を分ける間隔の異なる、少なくとも２種類の手段からなっている。本実施形態では、図１（Ａ）に示すように、上面１１を図示右上と左下に２等分する手段Ｄ２、上面１１を図示上下に３等分する手段Ｄ３、上面１１を図示上下に４等分する手段Ｄ４の３種類の手段がそれぞれ設けられている。
【００３７】
上面１１を２等分する手段Ｄ２は１本の突条４ａにより構成されている。同３等分する手段Ｄ３は並行な２本の突条４ｂにより構成されている。同４等分する手段Ｄ４は並行な３本の突条４ｃにより構成されている。本実施形態の突条４ａ〜４ｃはいずれも直線状であるが、後述のように、複数の手段が各々異なる形態を有するものとすれば良いので、本実施形態のような直線状に限定されるものではなく、例えば湾曲したものであっても良い。
【００３８】
本実施形態では３種類の手段Ｄ２〜Ｄ４が設けられ、これら各々の手段を構成する突条４ａ〜４ｃが、一つの包装用容器に組み合わされて形成されているが、この組み合わせのバリエーションは種々に変更することができる。例えば、上面１１を２等分する突条４ａと、上面１１を３等分する突条４ｂとが形成されたものであっても良いし、上面１１を３等分する突条４ｂと、上面１１を４等分する突条４ｃとが形成されたものであっても良い。つまり、上面１１の等分の仕方に応じた複数種類の突条４を組み合わせて形成して良い。
【００３９】
本実施形態の突条４ａは、図１（Ａ）に示す上面１１の平面視形状（略八角形状）にて、図示左上と右下で対向する短辺それぞれの中央部を結ぶように、連続的に形成された１本の突条である。この突条４ａは１本で上面１１を図示右上と左下に２等分する手段Ｄ２を構成する。つまり、この突条４ａは上面１１の中央を通るように設けられている。そして、この突条４ａは突条４ｂと突条４ｃに対して交差して形成されている。このように本発明では、上面１１を等間隔に分ける複数の手段のうち少なくとも一つを構成する突条４の延びる方向が、他の手段を構成する突条４の延びる方向と交差するようにして実施することができる。
【００４０】
なお、本実施形態では突条４ａのみが図１（Ａ）上での水平・垂直方向に対して傾いて形成されている。つまり、上面１１を２等分する突条４ａに対し、上面１１を３等分する突条４ｂと上面１１を４等分する突条４ｃとが角度を変えて形成されている。本実施形態における突条４ａは、異なる部位の肉（バラ肉ともも肉等）や異なる種類の肉（牛肉と豚肉等）等の異種収容物を一つの包装用容器に盛り付ける際、異種収容物の境界となる位置の目安（仕分手段）として用いられる。なお、この突条４ａは、前記目安として用いた場合であっても用いなかった場合であっても、収容物が当接することから、収容物の滑り止めとして機能する（滑り止め手段）。
【００４１】
このように、上面１１上において他の突条４とは角度を変えた突条４（本実施形態では突条４ａ）を少なくとも１種類形成しておくことで、その角度を変えた突条４を任意に選択して用い、収容物の配置にバリエーションをもたせることができる。
【００４２】
突条４の形成される角度は、図１（Ａ）に示す本実施形態のものに限られるものではなく、種々の角度で設定でき、それぞれ異なる複数の角度とした突条４を組み合わせて形成することも可能である。
【００４３】
また、本実施形態の突条４ｂは、図１（Ａ）に示す上面１１の平面視形状（略八角形状）にて、図示水平方向に延びる対向する辺（上辺と下辺）同士の距離を３等分する位置に、それぞれ並行に、断続的（破線状）に形成された２本の突条であって、前記２本が一組とされ、この一組が上面１１を図示上下に３等分する手段Ｄ３を構成する。この突条４ｂの形成により、図１（Ａ）上で「Ａ」と示したように、上面１１が等間隔に３つの領域に分けられる。本実施形態における突条４ｂは、収容物を見栄え良く並べる際の目安（整列手段）として用いられる。なお、この突条４ｂは、前記目安として用いなかった場合、収容物が当接することにより、収容物の滑り止めとして機能する（滑り止め手段）。
【００４４】
そして、本実施形態の突条４ｃは、図１（Ａ）に示す上面１１の平面視形状（略八角形状）にて、図示水平方向に延びる対向する辺（上辺と下辺）同士の距離を４等分する位置に、それぞれ並行に、連続的に形成された３本の突条であって、前記３本が一組とされ、この一組が上面１１を図示上下に４等分する手段Ｄ４を構成する。この突条４ｃの形成により、図１（Ａ）上で「Ｂ」と示したように、上面１１が等間隔に４つの領域に分けられる。本実施形態における突条４ｃも、収容物を見栄え良く並べる際の目安（整列手段）として用いられる。また、この突条４ｃも、前記目安として用いなかった場合、収容物が当接することにより、収容物の滑り止めとして機能する（滑り止め手段）。
【００４５】
そして、本実施形態では、上面１１を２等分する手段Ｄ２を構成する突条４ａ、及び、同４等分する手段Ｄ４を構成する突条４ｃは連続的に形成されている。そして、上面１１を３等分する手段Ｄ３を構成する突条４ｂは断続的に形成されている。このように、突条４が、上面１１を等間隔に分ける分け方ごとに、少なくとも２種類の異なる形態で形成されている。この形態の違いにより、後述のように上面１１に収容物を並べる際の、収容物の位置合わせの目安とすべき突条４を作業者が容易に識別できる。
【００４６】
本実施形態では、突条４の形態について、連続的に形成されたものと断続的に形成されたものの２種類としたが、作業者が容易に突条４を識別できるものであれば、例えば、点線状、一点鎖線状、波線状等の種々の形態を採用し得る。
【００４７】
なお、上面１１を２等分する手段Ｄ２を構成する突条４ａと同４等分する手段Ｄ４を構成する突条４ｃとは、前記のように連続的に形成されている点では共通している。しかし、前記のように、突条４ａは図１（Ａ）上での水平及び垂直方向に対して傾いて形成され、突条４ｃは図１（Ａ）上での水平方向に対して並行に形成されたものであるから、手段Ｄ２と手段Ｄ４とは異なる形態を有している。ここで、「異なる形態」とは、各手段を構成する突条４自体の形態が異なること（例えば連続的に形成された突条と断続的に形成された突条の違い）のみを意味するのではなく、上面１１上で突条４の形成された角度が異なる等、視認により作業者が各手段を見分けられるように形態が異なることを意味する。このように、一つの包装用容器に設けられた複数の手段が、各々異なる形態を有していることで、作業者がどの手段を用いて盛り付け作業すべきか、迅速に判断できる。
【００４８】
次に、その他の実施形態の例について図２に示す。（Ａ）は、図示水平方向に延びる突条４ａ（連続状）及び突条４ｂ（断続状）を設けたものである。これらの突条が上面１１を図示上下に２等分する手段Ｄ２と、図示上下に３等分する手段Ｄ３とを構成する。
【００４９】
（Ｂ）は、図示斜め方向に延びる突条４ａ（連続状）を角度を変えて２本設け、図示水平方向に延びる突条４ｂ（断続状）と、図示垂直方向に延びる突条４ｂ（断続状）とを設けたものである。これらの突条が上面１１を図示右上と左下に２等分する手段Ｄ２ａ、図示左上と右下に２等分する手段Ｄ２ｂと、上面１１を図示上下に３等分する手段Ｄ３ａ、図示左右に３等分するＤ３ｂとを構成する。
【００５０】
（Ｃ）は、図示水平方向に延びる突条４ａ（連続状）及び突条４ｂ（断続状）を設け、図示垂直方向に延びる突条４ａ（連続状）を設けたものである。これらの突条が上面１１を図示上下に２等分する手段Ｄ２ａ、図示左右に２等分するＤ２ｂと、上面１１を図示上下に３等分する手段Ｄ３とを構成する。
【００５１】
（Ｄ）は、図示水平方向に延びる突条４ｂ（連続状）及び突条４ｃ（断続状）を設け、図示垂直方向に延びる突条４ａ（連続状）を設けたものである。これらの突条が上面１１を図示左右に２等分する手段Ｄ２と、上面１１を図示上下に３等分する手段Ｄ３と上面１１を図示上下に４等分する手段Ｄ４とを構成する。
【００５２】
（Ｅ）は、図示水平方向に延びる突条４ａ（連続状）及び突条４ｂ（断続状）を設け、図示垂直方向に延びる突条４ｃ（連続状）を設けたものである。これらの突条が上面１１を図示上下に２等分する手段Ｄ２と、上面１１を図示上下に３等分する手段Ｄ３と、上面１１を図示左右に４等分する手段Ｄ４とを構成する。
【００５３】
（Ｆ）は、図示斜め方向に延びる突条４ａ（連続状）を角度を変えて２本設け、図示水平方向に延びる突条４ｃ（連続状）と、図示垂直方向に延びる突条４ｂ（断続状）を設けたものである。これらの突条が上面１１を図示右上と左下に２等分する手段Ｄ２ａ、図示左上と右下に２等分する手段Ｄ２ｂと、上面１１を図示左右に３等分する手段Ｄ３と、上面１１を図示上下に４等分する手段Ｄ４とを構成する。
【００５４】
次に、本実施形態の包装用容器の使用方法につき、収容物の一例としてしゃぶしゃぶ用生肉Ｍを盛り付ける場合について述べる。
【００５５】
まず、盛り付け状態に応じて用いるべき突条４を作業者が選択する。図３（Ａ）に示した盛り付け状態は、同一部位の肉（例えばバラ肉）Ｍを４列に並べたものである。この盛り付けをする場合には、上面１１を４等分する手段Ｄ４を構成する突条４ｃ（図１（Ａ）参照）を選択する。突条４ｃは、図１（Ａ）において水平方向に３本設けられ、各々が連続的に形成された突条であるため、作業者において、突条４ａ（図示斜め方向に１本設けられ、連続的に形成された突条）や突条４ｂ（図示水平方向に２本設けられ、各々が断続的に形成された突条）とは一目で見分けがつく。
【００５６】
前記選択した突条４ｃ（整列手段）を目安にして肉Ｍを配置していく。具体的には、肉Ｍを適宜の大きさに作業者が折り、その折った状態の肉Ｍの端辺を、容器底部１の端部１２及び突条４ｃに位置合わせしつつ、上面１１に肉Ｍを配置する。目安となる突条４ｃの存在により、未熟な作業者であっても、図３（Ａ）に示した、肉Ｍの端辺により形成されるラインＬを一直線に揃えることが容易であって、整然と見栄え良く盛り付けることができる。そのため、商品価値の高い商品を製造することができ、その際の作業効率も高い。
【００５７】
なお、前記目安として用いられなかった突条４ａ，４ｂ（図１（Ａ）参照）は、配置された肉Ｍの下敷きになるが、この突条４ａ，４ｂは滑り止めとして機能し（滑り止め手段）、購入者が商品を持ち帰る際において、包装用容器を多少傾けた場合であっても盛り付けが崩れてしまうことを防止できる。
【００５８】
一方、図３（Ｂ）に示した盛り付け状態は、異なる部位の肉（例えばバラ肉ともも肉）Ｍ１，Ｍ２を、一方の肉（例えばバラ肉）Ｍ１が図示右上になるように、他方の肉（例えばもも肉）Ｍ２が図示左下になるようにして、全体で４列に並べたものである。この盛り付けをする場合には、上面１１を２等分する手段Ｄ２を構成する突条４ａと、上面１１を４等分する手段Ｄ４を構成する突条４ｃとを選択する。そしてこの場合には前記と同じく、突条４ｃを、各列を並べる目安として用い（整列手段）、突条４ａを異なる肉Ｍ１，Ｍ２の境界線の目安として用いる（仕分手段）。
【産業上の利用可能性】
【００５９】
本発明に係る包装用容器は、しゃぶしゃぶ用生肉や一口サイズにカットされた生肉等を整然と盛り付けることが容易であるため、食品容器として好適に用いられる。そして、部位の異なる生肉を一緒に盛り付けるための食品容器としても好適に用いられる。
【符号の説明】
【００６０】
１          容器底部
１１        容器底部の上面
４          突条
４ａ        ２等分する手段を構成する突条
４ｂ        ３等分する手段を構成する突条
４ｃ        ４等分する手段を構成する突条
Ｄ２        ２等分する手段
Ｄ３        ３等分する手段
Ｄ４        ４等分する手段
【図１】
2011246175.tif 000003
【図２】
2011246175.tif 000004
【図３】
2011246175.tif 000005